(57)【要約】本発明は、ヒーターランプのようなヒーティング手段から発散される熱を十分に活用して、熱効率を向上させることができ、ヘアードライヤーの使用時に害を与えることがないようにし、ヒーティング手段が破裂する等の損傷を防止して寿命を延長できるようにした機能性ヘアードライヤーに関する。先端に吐出口１２が形成されたヘアードライヤー本体１０と、前記本体１０に内蔵されて後方には送風ファンが配置されているハロゲンヒーティング手段２０を含むヘアードライヤーにおいて、前記ヒーティング手段２０は、中間の連結部２２と、前記連結部２２の両端部から先端部に行くほど互いに広がるように傾斜して延長される１対の傾斜延長部２４を有する形状に構成されていることを特徴とする。【選択図】図１
2009528850.tif 000002
【特許請求の範囲】
【請求項１】
先端に吐出口（１２）が形成されたヘアードライヤー本体（１０）と、前記本体（１０）に内蔵されて後方には送風ファンが配置されているハロゲンヒーティング手段（２０）を含むヘアードライヤーにおいて、
前記ヒーティング手段（２０）は、中間の連結部（２２）と、前記連結部（２２）の両端部から先端部に行くほど互いに広がるように傾斜して延長される１対の傾斜延長部（２４）を有する形状に構成されていることを特徴とするヘアードライヤー。
【請求項２】
前記ヒーティング手段（２０）は、赤色石英管の形態を有するチューブの内部に発熱体が内蔵されて構成されることを特徴とする請求項１に記載のヘアードライヤー。
【請求項３】
前記ヒーティング手段（２０）は、バイオセラミックで製造されたヒーターハウジング（３０）の内部に収容され、前記ヒーターハウジング（３０）の内部には前記本体（１０）の吐出口（１２）と連通される複数個の空間部（３２）が貫通形成されていることを特徴とする請求項１に記載のヘアードライヤー。
【請求項４】
前記ヒーターハウジング（３０）は、バイオセラミックにマイナスイオン素材がさらに混合された材料で製造されることを特徴とする請求項３に記載のヘアードライヤー。
【請求項５】
前記ヒーターハウジング（３０）は、前記本体（１０）の内壁面と対向する周囲部に長手方向に凹状の溝部（３５）が形成され、この溝部（３５）は、前記ヒーターハウジング（３０）の放射方向に沿って所定間隔で離隔配置されている構成を有することを特徴とする請求項３または請求項４に記載のヘアードライヤー。
【発明の詳細な説明】
【技術分野】
【０００１】
本発明は、機能性ヘアードライヤーに関し、より詳細には、ヒーターランプのようなヒーティング手段から発散される熱を十分に活用して熱効率を向上させることができ、ヘアードライヤーの使用時に害を与えることがないようにし、ヒーティング手段が破裂する等の損傷を防止して寿命を延長させることができる等の効果がある機能性ヘアードライヤーに関するものである。
【背景技術】
【０００２】
従来、ハロゲンヒーターランプを利用したヘアードライヤーが開発された。このようなヘアードライヤーは、前方に吐出口が形成された本体の内部にハロゲンヒーターランプが内蔵され、ハロゲンヒーターランプの後方には送風ファンを備え、ヒーターランプの外側の周囲部には防熱板が設置された構成となっており、ハロゲンヒーターランプと送風ファンの作動により熱風を吐出して毛髪を乾燥させる。この場合、ハロゲンヒーターランプは、透明の石英管の内部にタングステンフィラメントのような発熱体を内蔵して構成されている。一方、ハロゲンヒーターランプから光が発散されないようにカバーするため、ランプの周囲にサンドブラスティング（Sand Blasting）処理をしたり、コーティング処理をしたりする。
【０００３】
しかし、前記ヒーターランプは側面から見るとＵ字状に形成されており、送風ファンから風が吹き出される際、風とヒーターランプとの接触面積が比較的に小さい。すなわち、ヒーターランプに接触することなく直接通過する風の量が相対的に多く、送風ファンから発生する風とヒーターランプとの接触面積が相対的に小さくなる。このため、従来のヘアードライヤーは、ヒーターランプが発散する熱を十分に活用することができず、熱効率が低下するという短所があった。
【０００４】
また、透明ハロゲンヒーターランプを採用したヘアードライヤーは、紫外線及び可視光線を発して使用者の目や皮膚に悪い影響を与える。さらに、頭皮や毛髪に損傷を与えることもある。また、必要に応じて、ヒーターランプが発する光を減らすために、ヒーターランプにサンドブラスティング処理をしたり、コーティング処理をしたりする。このようなヘアードライヤーの場合、ヒーターランプの内部に閉じ込められていた光と熱が強制的に放出されるため、ヒーターランプの破裂するおそれがあり、同時に寿命が短縮するという問題点があった。
【発明の開示】
【発明が解決しようとする課題】
【０００５】
そこで、本発明は上記従来の問題点に鑑みてなされたものであって、本発明の目的は、ヒーターランプから発散される熱を十分に活用して、熱効率を向上させることができ、ヘアードライヤーの使用時に害を与えないようにし、自然のマイナスイオンと遠赤外線を提供して人体に良い影響を与えるもので、また、ヒーティング手段が破裂する等の損傷を防止して寿命を延長できるようにすると同時に、製品の機能性及び信頼性を向上させた新しい構成の機能性ヘアードライヤーを提供することである。
【課題を解決するための手段】
【０００６】
上記目的を達成するためになされた本発明によれば、先端に吐出口１２が形成されたヘアードライヤー本体１０と、前記本体１０に内蔵されて後方には送風ファンが配置されているハロゲンヒーティング手段２０を含むヘアードライヤーにおいて、前記ヒーティング手段２０は、中間の連結部２２と、前記連結部２２の両端部から先端部に行くほど互いに広がるように傾斜して延長される１対の傾斜延長部２４を有する形状に構成されていることを特徴とするヘアードライヤーを提供することができる。
【０００７】
本発明の他の特徴によれば、前記ヒーティング手段２０は、赤色石英管の形態を有するチューブの内部に発熱体が内蔵されて構成されることを特徴とするヘアードライヤーを提供することができる。
【０００８】
本発明の他の特徴によれば、前記ヒーティング手段２０は、バイオセラミックで製造されたヒーターハウジング３０の内部に収容され、前記ヒーターハウジング３０の内部には前記本体１０の吐出口１２と連通される複数個の空間部３２が貫通形成されていることを特徴とするヘアードライヤーを提供することができる。
【０００９】
本発明の他の特徴によれば、前記ヒーターハウジング３０は、バイオセラミックにマイナスイオン素材がさらに混合された材料で製造されることを特徴とするヘアードライヤーが提供される。
【００１０】
本発明の他の特徴によれば、前記ヒーターハウジング３０は、前記本体１０の内壁面と対向する周囲部に長手方向に凹状の溝部３５が形成されている。この溝部３５は、前記ヒーターハウジング３０の放射方向に沿って所定間隔で離隔配置されている構成を有するヘアードライヤーが提供される。
【発明の効果】
【００１１】
以上のように、本発明によれば、ヘアードライヤーの送風ファンから吹き出された風がヒーティング手段２０の互いに傾斜するように広がっている１対の傾斜延長部２４と連結部２２を通過して、ヒーティング手段２０と風の接触面積が従来に比べて相対的に広くなるので、従来に比べて、熱効率を向上させることができ、比較的に小容量で熱効率を増大させることができるので、エネルギー効率も高くなるという効果がある。
【００１２】
また、ヒーティング手段２０はヒーターハウジング３０に内蔵され、ヒーターハウジング３０は内部にハニコム状の空間部３２を有するように成形され、ヒーティング手段２０からの発熱でセラミックヒーターハウジング３０を加熱して輻射熱と同様の方式で熱風を吐出する方式であって、ヒーターから発生する熱を外部に漏らさずに利用することができ、その結果、熱効率を最大化することができる。さらに、バイオセラミック及びマイナスイオン素材からなるヒーターハウジング３０から純遠赤外線と自然のマイナスイオンが発生されるので、人体によい影響を与える等の長所がある。なお、頭皮や毛髪の損傷を防ぐと同時に、毛髪に適当な水分を残すことによって自然な美しさを保つことができる。
【００１３】
また、前記ヒーティング手段２０は、赤色石英管の形態に製造されたチューブの内部に発熱体が内蔵されて構成されているため、ヒーティング手段２０から光が発散することを防止するためにサンドブラスティング処理をしたり、コーティング処理をする必要がない。これにより、ヒーティング手段２０の内部に閉じ込められていた熱が強制的に放出されることがなく、ランプ形態のヒーティング手段２０が破裂するおそれがない。その結果、寿命が延長されるという効果がある。
【００１４】
そして、ヒーターハウジング３０の周囲部に凹状の溝部３５が形成され、この溝部３５を通じて通風孔が形成されてヘアードライヤー内部の送風ファンから吹き出された風がヒーターハウジング３０の溝部３５により形成された通風孔を通じて供給されるので、ヒーターハウジング３０外表面の過熱を防止できる。このことから、合成樹脂からなるヘアードライヤー本体１０がヒーターハウジング３０の熱でとけてしまう等の変形を防ぐと同時に、送風ファンによる冷風をすべて熱風として利用できるので、熱効率を一層向上させることができるという効果がある。
【発明を実施するための最良の形態】
【００１５】
以下、添付した図面を参照して本発明の好ましい実施例を詳細に説明する。
【００１６】
図１は、本発明のヘアードライヤーの斜視図である。図２は、図１の構成がヘアードライヤー本体に取り付けられた状態を示す部分側断面図である。
【００１７】
図示するように、本発明は、従来技術と同様に、吐出口１２が形成されたヘアードライヤー本体１０と、この本体１０に内蔵されたハロゲンヒーティング手段２０と、ヒーティング手段２０の後方に配置されて本体１０に内蔵された送風ファンとで構成されている。
【００１８】
ここで、ヒーティング手段２０は、中間の弧形状の連結部２２と、この連結部２２の両端部に先端部に行くほど外側に広がるように傾斜して延長された１対の傾斜延長部２４を有するヒーターランプ形状に構成されている。この場合、傾斜延長部２４は、ヒーティング手段２０の中央線を基準に互いに対称に配置されている。このような構成のヒーティング手段２０は、図２に示すように、１対の傾斜延長部２４がヘアードライヤー本体１０の吐出口１２方向を向けるように設置される。
【００１９】
これにより、ヘアードライヤーの送風ファンから吹き出された風がヒーティング手段２０の互いに傾斜して広がっている１対の傾斜延長部２４と連結部２２を通過して、ヒーティング手段２０と風の接触面積が従来に比べて相対的に広くなり、ヒーティング手段２０から発散される熱を十分に活用することができるようになる。さらに、このようにヒーティング手段２０から発散される熱を十分に活用することによって熱効率を向上させることができ、比較的に小容量で熱効率を向上させることが可能で、エネルギー効率も向上させることができる。
【００２０】
一方、ヒーティング手段２０は、赤色石英管の形態に製造されたチューブの内部に発熱体を内蔵して構成されている。これにより、ヘアードライヤーの使用中にヒーティング手段２０から発散される紫外線及び可視光線がほとんどなく、遠赤外線が相対的に多く発生するので、頭皮、毛髪、目や皮膚に有害な影響を及ぼさない。
【００２１】
この場合、ヒーティング手段２０は、ヒーターハウジング３０に内蔵されている。ヒーターハウジング３０は、バイオセラミックとマイナスイオン素材とが混合された材料で円筒状に製造される。また、ヒーターハウジング３０は、その内部にハニコム状の複数個の空間部３２を有するように成形される。また、ヒーターハウジング３０の空間部３２は、ヘアードライヤー本体１０の吐出口１２と連通するようにヒーターハウジング３０の前後端に貫通した形状を有している。
【００２２】
よって、ヒーターをバイオセラミックとマイナスイオン素材で形成されたヒーターハウジング３０で取り囲み、ヒーターハウジング３０は、ヒーターの熱で加熱されるように構成されており、ヒーターから発散される熱がそのまま外部に漏れるのではなく、セラミックヒーターハウジング３０を加熱して輻射熱と同様の方式で熱風を吐出する方式であるので、ヒーターから発生した熱を外部に漏らさずに利用することができ、その結果、熱効率を最大化することができる。なお、ヒーターハウジング３０から自然のマイナスイオンと遠赤外線が放射されて、人体に有益な効果をもたらすことができる。
【００２３】
この場合、ヒーターハウジング３０の２つの分割された本体（３１ａ、３２ａ）が互いに結合するようにしてもよく、一つのボディとなって本体（３１ａ、３２ａ）にヒーティング手段２０を内蔵して締結手段で結合するようにすることができる。この締結手段は、公知の手段を利用することができる。これにより、ヒーターハウジング３０は、二つの分割本体（３１ａ、３２ａ）が着脱可能に結合されたり、一つの本体で結合されることも可能であり、また、その内部にヒーティング手段２０を内蔵することができるので、組み立て及び分解作業が容易になるという効果がある。
【００２４】
一方、図３は、本発明の他の実施例の要部の斜視図である。図４は、図３の構成がヘアードライヤー本体に設置された状態を示す部分側断面図である。図３及び図４を参照すれば、前記ヒーターハウジング３０は、ヘアードライヤー本体１０の内壁面と対向する周囲部に長手方向に凹状の溝部３５が形成され、前記溝部３５は、ヒーターハウジング３０の放射方向に沿って所定間隔で離隔されて配置されている。これにより、溝部３５によってヘアードライヤー本体１０とヒーターハウジング３０の外表面との間に通風孔が形成される。その結果、ヒーターハウジング３０の溝部３５を通じて送風ファンの比較的に冷たい風が通風するので、セラミックヒーターハウジング３０の外表面の過熱により合成樹脂からなるヘアードライヤー本体１０がとけてしまう等の変形を防ぐと同時に、送風ファンによる冷風をすべて熱風として利用できるので、熱効率を一層向上させることができるという効果がある。
【００２５】
この場合、図３及び図４に示されていないが、図３及び図４において、図１及び図２の場合と同様に、ヒーターハウジング３０の内部にヒーティング手段２０が内蔵されている。
【産業上の利用可能性】
【００２６】
上記のように、本発明は、ヘアードライヤーの送風ファンから吹き出された風がヒーティング手段２０の互いに傾斜するように広がっている１対の傾斜延長部２４と連結部２２を通過することで、ヒーティング手段２０と風の接触面積が従来に比べて比較的に広くなることから、従来に比べて、熱効率を向上させることができ、比較的に小容量で熱効率を増大させることができるので、エネルギー効率も高くなる効果を有する機能性ヘアードライヤーを提供する。
【図面の簡単な説明】
【００２７】
【図１】本発明による機能性ヘアードライヤーの要部の斜視図である。
【図２】図１の構成がヘアードライヤー本体に取り付けられた状態を示す部分側断面図である。
【図３】本発明の他の実施例の要部の斜視図である。
【図４】図３の構成がヘアードライヤー本体に設置された状態を示す部分側断面図である。
【図１】
2009528850.tif 000003
【図２】
2009528850.tif 000004
【図３】
2009528850.tif 000005
【図４】
2009528850.tif 000006
【国際調査報告】
2009528850.tif 000007
2009528850.tif 000008